(57)【要約】【課題】効率よく岩盤浴を行うことが可能な施設を提供する。【解決手段】発泡スチロールを構成材とする分割片１０〜１９を組み立てて、内部にドーム状の室内を有する組立式家屋１００を形成する。このドーム状室内の床面に、ホルンフェルス等の鉱物を含有する岩盤プレート３４を敷設し、その下方にヒートパイプ３３を配置する。ヒートパイプ３３により岩盤プレート３４を加熱し、岩盤プレート３４から遠赤外線やマイナスイオン等を放射させる。【選択図】図６
0003117769.tif 000002
【実用新案登録請求の範囲】
【請求項１】
ドーム状の室内の床面に敷設され、岩盤浴を行うための鉱物を含有するプレート部材と、
前記プレート部材の下方に配置され、前記プレート部材を加熱する加熱源とを備えることを特徴とする岩盤浴施設。
【請求項２】
請求項１に記載の岩盤浴施設において、
前記ドーム状の室内は、発泡スチロールを構成材とするドーム状の分割片を組み立てて形成されることを特徴とする岩盤浴施設。
【請求項３】
請求項１または２に記載の岩盤浴施設において、
前記加熱源はヒートパイプであり、
前記プレート部材の底面に面して形成された格子状の溝で前記ヒートパイプを支持するとともに、前記溝によって形成された束の上面で前記プレート部材を支持する発泡スチロール製の支持部材をさらに備えることを特徴とする岩盤浴施設。
【請求項４】
請求項３に記載の岩盤浴施設において、
前記プレート部材には、複数の利用者が各々横たわる領域を区画する区画部材が設けられることを特徴とする岩盤浴施設。
【請求項５】
請求項４に記載の岩盤浴施設において、
前記プレート部材は、ドーム状の室内のほぼ全域に敷設されていることを特徴とする岩盤浴施設。
【請求項６】
請求項１〜５のいずれか１項に記載の岩盤浴施設において、
前記ドーム状の室内はドーム状の家屋により形成され、このドーム状の家屋には別の家屋が連結されていることを特徴とする岩盤浴施設。
【考案の詳細な説明】
【技術分野】
【０００１】
本考案は、岩盤浴を行うことが可能な岩盤浴施設に関する。
【背景技術】
【０００２】
近年、温泉に代わる温浴施設として、床面に敷設した岩盤を温めてその上に横になり、岩盤から放射される遠赤外線やマイナスイオンの効能により健康維持・促進を図るようにした岩盤浴施設が注目を浴びている。この種の岩盤浴を行う施設には、例えば以下の特許文献１記載のものがある。
【０００３】
【特許文献１】登録実用新案第３１００５９２号公報
【考案の開示】
【考案が解決しようとする課題】
【０００４】
しかしながら、上記特許文献１記載のものは、直方体状の室内に岩盤が敷設されるため、岩盤浴による遠赤外線効果やマイナスイオン効果を効率よく発揮することができない。
【課題を解決するための手段】
【０００５】
本考案による岩盤浴施設は、ドーム状の室内の床面に敷設され、岩盤浴を行うための鉱物を含有するプレート部材と、プレート部材の下方に配置され、プレート部材を加熱する加熱源とを備えることを特徴とする。
ドーム状の室内を、発泡スチロールを構成材とするドーム状の分割片を組み立てて形成することが好ましい。
加熱源をヒートパイプとして構成し、プレート部材の底面に面して形成された格子状の溝でヒートパイプを支持するとともに、溝によって形成された束の上面でプレート部材を支持する発泡スチロール製の支持部材をさらに備えることもできる。
複数の利用者が各々横たわる領域を区画する区画部材をプレート部材に設けるようにしてもよく、ドーム状の室内のほぼ全域にプレート部材を敷設してもよい。
ドーム状の室内をドーム状の家屋により形成し、このドーム状の家屋に別の家屋を連結することもできる。
【考案の効果】
【０００６】
本考案によれば、ドーム状の室内の床面に、岩盤浴を行うためのプレート部材を敷設し、その下方に加熱源を配置するので、床面から発生した熱が効率よく室内に広まり、岩盤浴による遠赤外線効果やマイナスイオン効果等を効率よく発揮することができる。
【考案を実施するための最良の形態】
【０００７】
以下、図１〜図６を参照して本考案による岩盤浴施設の実施の形態について説明する。
まず、施設の概要を説明する。本考案では、発泡スチロールを構成材とするドーム状の分割片を組み立てた組立式家屋によりドーム状の室内を形成し、このドーム状室内にて岩盤浴を行うように構成する。
【０００８】
図１は、本実施の形態に係る組立式家屋１００の全体を示す立面図、図２は平面図である。組立式家屋１００は、上述したように発泡スチロールを構成材とする複数のドーム状分割片１０〜１９を集合して、内部に半球状（ドーム状）の居住空間を形成したものである。図１において、ＷＤは所定の分割片にあらかじめ設けられた窓部、ＰＴは所定の分割片にあらかじめ設けられた玄関部である。組立式家屋１００は、基礎３０上に組み立てられる。
【０００９】
複数の分割片１０〜１９は、それぞれ図３に示すような形状をし、発泡倍率が１０〜５０倍で厚さ１０〜５０ｃｍの発泡スチロールから形成される。たとえば、積雪が最大で８０ｃｍ程度の場合には、発泡倍率２０倍、厚さ２０ｃｍの発泡スチロールからなる分割片とすることができる。なお、同じ強度を得るためには、発泡倍率を大きくすれば厚みが厚くなる。また、積雪を考慮する必要がない地域では、発泡倍率を２０倍より大きくし、あるいは厚みを２０ｃｍ以下に薄くできる。反対に、積雪量が１ｍ以上の地域では、発泡倍率を２０倍以下に小さくして強度を担保するか、厚みを厚くする。
【００１０】
各分割片１０〜１９はＬ字状の基部ＤＢと、基部ＤＢから立ち上がる接合縁ＤＥ，ＤＤと、接合縁ＤＥ，ＤＤの先端の頂部ＤＲとを有する。このような分割片１０〜１９を、ドームの頂部において分割片１０〜１９の先端上部を頂部ジョイント２０で互いに結合するとともに、複数の分割片１０〜１９の各々の接合縁ＤＥとＤＤとを、隣接する分割片と締結具２１で締結した上で接着することによりドーム状の組立式家屋１００が組み立てられる。なお、組立式家屋１００は複数の分割片１０〜１９のみによって自立可能であるが、家屋１００の強度をより高めるために、分割片１０〜１９の接着面にＨ型鋼などの強度部材を挿入してもよい。分割片１０〜１９の形状は上述したものに限らない。例えば図４に示すように上下方向に分割した分割片１０Ａ〜１９Ａ，１０Ｂ〜１９Ｂを集合して組立式家屋１００を形成するようにしてもよい。
【００１１】
次に、組立式家屋１００の内部構成を説明する。図５は岩盤浴施設としての家屋１００内の全体を示す斜視図である。家屋１００の床面には、岩盤浴を行うための鉱物を含有した岩盤（後述の岩盤プレート３４）が加温可能に敷設されている。利用者は、仕切板４１により区画されたスペースにおいて、温められた岩盤の上に伏臥および仰臥し、岩盤から放射された遠赤外線やマイナスイオンにより岩盤浴を行なう。
【００１２】
図６は岩盤浴施設の要部構成を示す斜視図である。図６に示すように家屋の基礎３０をなすコンクリート土間３１の上面には、発泡スチロール製の床マット３２がほぼ全域にわたって敷設され、室内全体は発泡スチロールで覆われた断熱空間となっている。床マット３２の上面には格子状の溝３２ａが設けられ、溝３２ａに囲まれて束３２ｂが形成されるとともに、溝３２ａに沿ってジグザグ状にヒートパイプ３３が配設されている。床マット上に設けられた溝３２ａのうち、少なくともヒートパイプ３３が配設される溝はヒートパイプ３３の外径と同一幅のＵ字断面を有し、ヒートパイプ３３は溝３２ａによって保持されている。なお、ヒートパイプ３３は岩盤プレート３４を温める加熱源となるものであり、図示しない温水供給油装置から供給された温水がヒートパイプ３３を循環する。束３２ｂの上面には岩盤プレート３４が接着され、岩盤プレート３４と床マット３２の溝３２ａとの間に空間ＳＰが形成されている。
【００１３】
岩盤プレート３４は、例えばホルンフェルス（接触変成岩）などの石の粉末とモルタルとを混合して形成した厚さ約２０mm程度のモルタル層である。ホルンフェルスとは、宮崎県高千穂で発見された岩石で、ラドンなどと同じように極く微量の放射線をだす天然放射性鉱物である。このホルンフェルスには、遠赤外線放射率およびマイナスイオン放射量が極めて高いといった特徴があるため、岩盤浴に用いて好適である。岩盤プレート３４は室内のほぼ全域に敷設されている。
【００１４】
岩盤プレート３４の上面には畳製のマット（畳マット）３５が敷設され、畳マット３５の上にバスタオル３６等を敷いて利用者が横たわる。利用者の両側には木製の仕切板４１が立設され、仕切板４１により他の利用者からの視線が遮られる。枕４２は、ホルンフェスの石を砕いたものを網に入れ、固めの布でくるんだものであり、枕４２からも岩盤浴の効果が得られる。仕切板４１には酸素供給用のパイプ４３が設けられ、パイプ４３を介して利用者の顔面付近の空間に酸素を供給可能としている。
【００１５】
本実施の形態に係る岩盤浴施設の作用を説明する。ヒートパイプ３３には温水供給装置から所定温度および所定量の温水が供給され、ヒートパイプ３３からの熱は、床マット３２の束３２ｂおよび空間ＳＰ内の空気を介して岩盤プレート３４に伝熱される。これにより岩盤プレート３４の温度が所定温度（例えば５０度程度）まで上昇し、畳マット３５上の利用者に向けて遠赤外線およびマイナスイオンが放射される。この場合、家屋１００内はドーム状空間であるため、室内の空気の循環効率がよく、温度のばらつきが少ない。このため、床面から発生した熱が効率よく室内に広まり、岩盤浴による高い遠赤外線効果やマイナスイオン効果等を得ることができる。
【００１６】
本実施の形態によれば以下のような作用効果を奏することができる。
（１）組立式家屋１００により形成したドーム状の室内の床面に岩盤プレート３４を敷設し、このドーム状室内で岩盤浴を行うようにしたので、床面から発生した熱が効率よく室内に広まり、岩盤浴による遠赤外線効果やマイナスイオン効果等を効率よく発揮することができる。
（２）発泡スチロールを構成材として組立式家屋１００を構成するので、家屋の表面に断熱材を貼着する必要がなく、岩盤浴施設の提供が容易である。
（３）家屋１００の底部に床マット３２を配置するので、室内全体が発泡スチロールで覆われた断熱空間となり、岩盤浴を行うのに最適である。
（４）発泡スチロール製の床マット３２に形成した溝３２ａでヒートパイプ３３を支持するので、ヒートパイプ３３とコンクリート土間３１との間が断熱され、ヒートパイプ３３からの熱を効率よく岩盤プレート３４に伝熱することができる。
（５）床マット３２に一体的に形成した束３２ｂで岩盤プレート３４を支持するので、床マット上に別途支持部材を設ける必要がなく、部品点数および組立工数を抑制することができる。
（６）岩盤プレート３４の上に畳マット３５を敷設するので、寝心地がよく、利用者の快適性が向上する。
【００１７】
なお、以上では組立式家屋１００によりドーム状（半球状）の室内を形成し、そのドーム状室内で岩盤浴を行うとして説明したが、完全な半球の場合（平面形状が円の場合）に限らず、平面形状が多角形となってもよい。また、多角形の個々の辺に丸みを持たせる等により幾何学上の厳密な意味では「円」でも「多角形」でもないという場合でも、ここで言う「ドーム状」に該当する。
【００１８】
家屋内を複数の部屋に分割して、着替室や休憩室を設けることもできる。この場合、岩盤浴を行う室内は完全なドーム状とはならないが、天井付近等、部屋の大部分はドーム状であるため、実質的にはドーム状室内とみなすことができ、上述したのと同様の効果を得ることができる。なお、図７に示すように複数の組立式家屋１０１〜１０７を連結部ＣＮを介して連結し、連結部ＣＮを通って家屋１０１〜１０７内の行き来が可能となるようにしてもよい。これにより岩盤浴を行うドーム状の家屋とは別の家屋を、着替室や休憩室として利用することができる。また、岩盤浴を行う家屋とは別の家屋を、例えば低温サウナ，中温サウナ，高温サウナを提供するための家屋としてそれぞれ構成し、各種のサウナ施設が集まった集合施設とすることもできる。
【００１９】
岩盤浴施設のレイアウトの例を以下に示す。図８は、２棟のドーム状の組立式家屋１００Ａ，１００Ｂの間に略矩形状の家屋１１０を配置したものである。この例では、矩形状の家屋１１０に入口１１０ａを設け、この入口近くの空間を、待合い室、ロビー、健康ショップなどの共同スペースＳＰ１としている。また、入口１１０ａの奥方の空間を中央で仕切って、着替え室や休憩室などの男女別の固有スペースＳＰ２，ＳＰ３としている。そして、各着替え室にドーム状の家屋１００Ａ，１００Ｂをそれぞれ連結し、家屋１００Ａを男性用の岩盤浴施設、家屋１００Ｂを女性用の岩盤浴施設としている。
【００２０】
また、図９の例では、一方のドーム状の家屋１００Ａに入口１００ａと共同スペースＳＰ１を設け、その奥方の矩形状の家屋１１０に男女それぞれの固有スペースＳＰ２，ＳＰ３を設け、さらにその奥方のドーム状の家屋１００Ｂで岩盤浴を行うようにしている。図１０の例では、３棟のドーム状の家屋１００Ａ〜１００Ｃを連結し、一のドーム状の家屋１００Ａに入口１００ａと共同スペースＳＰ１を設け、その奥方のドーム状の家屋１００Ｂに男女それぞれの固有スペースＳＰ２，ＳＰ３を設け、さらにその奥方のドーム状家屋１００Ｃで岩盤浴を行うようにしている。
【００２１】
図１１の例では、矩形状の家屋１１０の内部にドーム状の家屋１００Ａを立設し、家屋１１０の内部かつ家屋１００Ａの外部に共同スペースＳＰ１と固有スペースＳＰ２，ＳＰ３をそれぞれ設けている（図１１（ａ））。この例では図１１（ｂ）に示すようにドーム状の家屋１００Ａの頂部が矩形状の家屋１１０の屋根に交差し、家屋１００Ａの頂部は水平に形成されている。これにより家屋１００Ａの高さが制限され、各階の高さが制限されているビルの内部等にも岩盤浴施設を形成することができる。
【００２２】
図１２の例では、ドーム状の家屋１００Ｄ，１００Ｅが矩形状の家屋１１０の壁面に交差し、家屋１１０の壁面の一部は家屋１００Ｄ，１００Ｅの壁面を形成している。このように矩形状の家屋１１０の内部にドーム状の家屋１００Ｄ，１００Ｅを形成することで、家屋１１０の壁際のスペースを有効利用することができ、狭い室内空間にも岩盤浴施設を形成することができる。図１２では、家屋１１０の壁の角部に家屋１００Ｄ，１００Ｅを形成したが、壁の中央部に形成してもよい。図１２の場合も家屋１００Ｄ，１００Ｅの大部分はドーム状であるので、床面から発生した熱が効率よく室内に広まり、岩盤浴による効果を効率的に得ることができる。
【００２３】
なお、岩盤浴施設に用いる家屋１００の内部構成も上述したものに限らない。例えば図１３に示すように家屋１００の中央部にパウダー噴出器２００を配設し、パウダー噴出器２００から岩盤を粉末にしたものを噴出して、岩盤浴の効果を発揮するようにしてもよい。この場合、利用者は寝ていても座っていても岩盤浴による遠赤外線効果等を得ることができ、仕切板４１を省略することもできる。酸素濃度を高めるために、酸素を同時に室内に供給するようにしてもよい。パウダー噴出器２００から噴出された噴出物の外部への流出を防ぐためには、家屋１００の入口１１１はできるだけ小さい方がよく、図１３では利用者が室内にかがんで入室する。なお、図１４に示すように利用者が横になるベッドを、室内に放射状に並べて配置してもよい。図１４では室内の中央にパウダー噴出器２００を配置しているが、ベッドの下方に岩盤浴を配置する場合、パウダー噴出器２００はなくてもよい。
【００２４】
家屋１００の内壁に、岩盤浴による効果を発揮する岩盤を含んだ内装材等を貼付するようにしてもよく、家屋を構成する分割辺１０〜１９にこの岩盤を混入してもよい。これにより床面からだけでなく、室内の全体から遠赤外線やマイナスイオン等が放射され、室内の利用者は一層高い岩盤浴の効果を得ることができる。岩盤プレート３４の層を分割片１０〜１９の接合部に設けて、家屋１００を補強するようにしてもよい。岩盤浴を行う家屋１００の内部（床面や壁面）に、健康に有益な各種の素材（例えば竹炭，備長炭，トルマリン，ゲルマニウム，ラジウム，黄土，アメジスト等）を固着し、岩盤浴による効果と併せてこれら素材からの特有の効果を得るようにしてもよい。
【００２５】
発泡スチロールに代えて、強化プラスチック（ＦＲＰ）などの樹脂製素材を構成材とする複数の分割片を集合し、ドーム状室内を形成してもよい。上記実施の形態では、ホルンフェルスの粉末とモルタルとを混合して形成した岩盤プレート３４をプレート部材として用いたが、岩盤浴を行うための鉱物を含有するのであれば、ホルンフェルス以外の石を用いてもよく、石の粉末とモルタルとを混合したものでなくてもよい。岩盤プレート３４の下方にヒートパイプ３３を配置して岩盤プレート３４を加熱するようにしたが、電熱ヒータ等、他の加熱源を用いてもよい。床マット３２の溝３２ａでヒートパイプ３３を支持するとともに、溝３２ａによって形成された束３２ｂの上面で岩盤プレート３４を支持するようにしたが、支持部材の形状はいかなるものでもよい。利用者が横たわる領域を区画する区画部材としての仕切板４１の形状および材質は上述したものに限らない。
【００２６】
すなわち、本考案の特徴、機能を実現できる限り、本考案は実施の形態の岩盤浴施設に限定されない。なお、以上の説明はあくまで一例であり、考案を解釈する際、上記実施形態の記載事項と実用新案登録請求の範囲の記載事項の対応関係になんら限定も拘束もされない。
【図面の簡単な説明】
【００２７】
【図１】本実施の形態に係る組立式家屋の全体を示す立面図。
【図２】図１の平面図。
【図３】図１の分割片の形状を示す斜視図。
【図４】図１の変形例を示す図。
【図５】図１の組立式家屋の内部を示す斜視図。
【図６】本実施の形態に係る岩盤浴施設の要部構成を示す斜視図。
【図７】岩盤浴施設の全体図の一例を示す斜視図。
【図８】岩盤浴施設のレイアウトの第１の例を示す図。
【図９】岩盤浴施設のレイアウトの第２の例を示す図。
【図１０】岩盤浴施設のレイアウトの第３の例を示す図。
【図１１】岩盤浴施設のレイアウトの第４の例を示す図。
【図１２】岩盤浴施設のレイアウトの第５の例を示す図。
【図１３】図５の変形例を示す図。
【図１４】図５の別の変形例を示す図。
【符号の説明】
【００２８】
１０〜１９  分割片
３２  床マット
３２ａ  溝
３２ｂ  束
３３  ヒートパイプ
３４  岩盤プレート
１００  組立式家屋
【図１】
0003117769.tif 000003
【図２】
0003117769.tif 000004
【図３】
0003117769.tif 000005
【図４】
0003117769.tif 000006
【図５】
0003117769.tif 000007
【図６】
0003117769.tif 000008
【図７】
0003117769.tif 000009
【図８】
0003117769.tif 000010
【図９】
0003117769.tif 000011
【図１０】
0003117769.tif 000012
【図１１】
0003117769.tif 000013
【図１２】
0003117769.tif 000014
【図１３】
0003117769.tif 000015
【図１４】
0003117769.tif 000016